(57)【要約】【課題】例えば着信の報知等のために少なくとも側面部から発光し、かつその発光範囲が外部からは点状に見えず広範囲に均一な照度で見える、視認性および意匠性の高いスマートフォン、携帯電話等の携帯端末を提供する。【解決手段】ＬＥＤ１５からの発光光は、カバーガラス１１の内面１１ｅから第１側板部１１ｂ内に入射し、殆どの光が斜面１１ｆで反射する。或いは、斜面１１ｆを透過してしまった光は、筐体１２の側板部１１ｂの斜面１２ｅで反射して、再び斜面１１ｆから第１側板部１１ｂ内に入射する。【選択図】図２
2014207544.tif 000002
【特許請求の範囲】
【請求項１】
画面表示部を蔽う画像透過部と、前記画像透過部と交わる方向に延在する側面部とが一体的に成形されたカバーガラスと、
前記カバーガラス内に配置された発光素子とを有する携帯端末であって、
前記発光素子から出射された光線は、前記側面部の一部に形成された反射面で少なくとも一回反射された後、前記側面部内を導光しつつ外部に出射することを特徴とする携帯端末。
【請求項２】
前記反射面は、前記カバーガラスの側面部の縁部に形成された斜面であることを特徴とする請求項１に記載の携帯端末。
【請求項３】
前記反射面に対して、前記発光素子から出射された光線の入射側と反対側に、前記反射面を覆うようにして別部材を設けたことを特徴とする請求項１又は２に記載の携帯端末。
【請求項４】
前記別部材は、プラスチックからなる筐体であることを特徴とする請求項３に記載の携帯端末。
【請求項５】
前記別部材は、前記反射面に隣接する面に反射膜を形成してなることを特徴とする請求項３又は４に記載の携帯端末。
【請求項６】
前記カバーガラスの前記反射面に反射膜を形成してなることを特徴とする請求項１〜５のいずれかに記載の携帯端末。
【請求項７】
前記発光素子は、複数個設けられていることを特徴とする請求項１〜６のいずれかに記載の携帯端末。
【請求項８】
以下の条件式を満たすことを特徴とする請求項１〜７のいずれかに記載の携帯端末。
２０°≦θ１＜６０°      （１）
ただし、θ１は、前記側面部の延在方向に対して直交する断面において、前記反射面と、前記側面部における前記反射面に対向する内側の面とのなす角度
【請求項９】
前記側面部の外側の面は、前記反射面に対して交差する方向に延在しており、以下の条件式を満たすことを特徴とする請求項１〜８のいずれかに記載の携帯端末。
０°≦θ２≦１０°      （２）
ただし、θ２は、前記側面部の延在方向に対して直交する断面において、前記側面部における前記反射面に対向する内側の面と、前記外側の面とのなす角度
【請求項１０】
前記側面部の外側の面の任意の点と前記発光素子とを結ぶ直線を引いたとき、前記直線は光を透過しない非透過性部材と交差することを特徴とする請求項１〜９のいずれかに記載の携帯端末。
【請求項１１】
画面表示部を蔽う画像透過部と、前記画像透過部と交わる方向に延在する側面部とが一体的に成形された携帯端末用のカバーガラスであって、
前記側面部の一部に形成された反射面を有し、前記カバーガラス内に配置された発光素子から出射された光線が、前記反射面で少なくとも一回反射された後、前記側面部内を導光しつつ外部に出射することを特徴とする携帯端末用のカバーガラス。
【請求項１２】
前記反射面は、前記カバーガラスの側面部の縁部に形成された斜面であることを特徴とする請求項１１に記載の携帯端末用のカバーガラス。
【請求項１３】
前記反射面に反射膜を形成してなることを特徴とする請求項１１又は１２に記載の携帯端末用のカバーガラス。
【請求項１４】
以下の条件式を満たすことを特徴とする請求項１１〜１３のいずれかに記載の携帯端末用のカバーガラス。
２０°≦θ１＜６０°      （３）
ただし、θ１は、前記側面部の延在方向に対して直交する断面において、前記反射面と、前記側面部における前記反射面に対向する内側の面とのなす角度
【請求項１５】
前記側面部の外側の面は、前記反射面に対して交差する方向に延在しており、以下の条件式を満たすことを特徴とする請求項１１〜１４のいずれかに記載の携帯端末用のカバーガラス。
０°≦θ２≦１０°      （４）
ただし、θ２は、前記側面部の延在方向に対して直交する断面において、前記側面部における前記反射面に対向する内側の面と、前記外側の面とのなす角度
【請求項１６】
前記側面部の少なくとも一部に、光取出し構造が設けられていることを特徴とする請求項１１〜１５のいずれかに記載の携帯端末用のカバーガラス。
【請求項１７】
前記光取出し構造は、印刷により形成されていることを特徴とする請求項１６に記載の携帯端末用のカバーガラス。
【請求項１８】
前記光取出し構造は、前記側面部に形成された微細構造であることを特徴とする請求項１７に記載の携帯端末用のカバーガラス。
【請求項１９】
前記画面透過部の周縁部の少なくとも一部にハーフミラー構造が施されていることを特徴とする請求項１１〜１８のいずれかに記載の携帯端末用のカバーガラス。
【発明の詳細な説明】
【技術分野】
【０００１】
本発明は、携帯端末及び携帯端末用のカバーガラスに関するものである。
【背景技術】
【０００２】
近年、携帯電話などに加え、スマートフォンやタブレット型パーソナルコンピュータなどに代表される薄型の通信携帯端末が急速に普及している。ところで、このような携帯端末には、メール、電話等の着信時に鳴動とともに発光により着信を知らせる機能が備えられているものが多い。この発光のための構造は、携帯端末内部に設けたＬＥＤ等の発光素子の発光面を外部に向け、発光面から出射した光を、直接又はレンズ等を介して外部に出射するのが一般的である。しかしながら、かかる構造の場合、ＬＥＤの発光面近傍のみが明るくなるばかりで視認性が悪く、ユーザーが着信に気づきにくいという問題がある。又、ＬＥＤを光源とした用いた場合の独特の高輝度粒状感が発現するので、意匠性という観点からも好ましくない。
【０００３】
このような問題に対して、視認性を良くするために、あるいは意匠性を高めるために、携帯端末の筺体表面から複数の方向に発光する構造が提案されている（特許文献１，２参照）。
【先行技術文献】
【特許文献】
【０００４】
【特許文献１】特開２００１−２６８１９５号公報
【特許文献２】特開２００６−１９１４３２号公報
【発明の概要】
【発明が解決しようとする課題】
【０００５】
ここで、特許文献１では、発光素子から出射した光が筐体の内面の凹凸により拡散されて外部へと発光するようになっている。しかしながら、特許文献１に筺体全体を発光させるという記載はあるが、光透過性樹脂が有効な導光機能を持たないので、凹凸構造を設けても、発光素子の近辺のみが強く発光するに留まり、意匠性に劣るという課題があった。特に、筺体全体を無理矢理発光させようとするあまり、発光素子の近傍と、発光素子から離れた部分とで輝度の差が大きくなりすぎて、見た目が良くないという課題があった。
【０００６】
一方、特許文献２では、筐体内部のＬＥＤから出射した光を、ハーフ蒸着された光透過性樹脂を介して外部へと出射させるようになっている。特許文献２の構成によれば、光透過性樹脂のハーフ蒸着により内部の回路基板等を視認することが回避されるが、発光時に発光素子の近傍のみが明るくなり、ＬＥＤ独特の高輝度粒状感は残ってしまうので、意匠性が劣るという問題がある。
【０００７】
本発明の第１の目的は、例えば着信の報知等のために少なくとも側面部から発光し、かつその発光範囲が外部からは点状に見えず広範囲に均一な照度で見える、視認性および意匠性の高いスマートフォン、携帯電話等の携帯端末を提供することにある。とくに上記の目的において、発光領域内の輝度むらが小さく、意匠性の高い携帯通信装置を提供することにある。また本発明の第２の目的は、上記第１の目的に示された携帯通信装置に用いられるカバーガラスであって、導光体の機能を有するカバーガラスを提供することにある。
【課題を解決するための手段】
【０００８】
請求項１に記載の携帯端末は、
画面表示部を蔽う画像透過部と、前記画像透過部と交わる方向に延在する側面部とが一体的に成形されたカバーガラスと、
前記カバーガラス内に配置された発光素子とを有する携帯端末であって、
前記発光素子から出射された光線は、前記側面部の一部に形成された反射面で少なくとも一回反射された後、前記側面部内を導光しつつ外部に出射することを特徴とする。
【０００９】
本発明によれば、前記発光素子から出射された光線は、前記側面部の一部に形成された反射面で少なくとも一回反射された後、前記側面部内を導光しつつ外部に出射するので、前記発光素子を携帯端末の表面近くに配置した場合でも、比較的長い光路をたどって導光しながら外部へと出射させることができる。これにより、携帯端末の薄形を確保しつつも、輝度ムラを抑えつつ前記側面部を広範囲に発光させることができる。又、前記側面部から前記発光素子を視認しにくいので、発光時の視認性および意匠性の高い携帯端末を提供できる。「携帯端末」とは、携帯電話、スマートフォン、タブレット端末、ＰＤＡ（Personal Digital Assistant）など種々のものを含む。
【００１０】
請求項２に記載の携帯端末は、請求項１に記載の発明において、前記反射面は、前記カバーガラスの側面部の縁部に形成された斜面であることを特徴とする。
【００１１】
前記反射面が、前記カバーガラスの側面部の縁部に形成された斜面であると成形で容易に形成できる。
【００１２】
請求項３に記載の携帯端末は、請求項１又は２に記載の発明において、前記反射面に対して、前記発光素子から出射された光線の入射側と反対側に、前記反射面を覆うようにして別部材を設けたことを特徴とする。
【００１３】
前記カバーガラスを板状のガラス材より構成した場合、前記側面部の一部に前記反射面を設けることで肉厚が薄くなり衝撃に弱くなることが予想される。そこで、前記別部材により前記反射面を覆って保護することにより、携帯端末が落下した場合の衝撃に対し割れにくくすることができる。又、前記別部材を設けることで、前記反射面への入射光が透過した場合に遮光を行って、外部への意図しない発光を抑制して意匠性を高めることもできる。
【００１４】
請求項４に記載の携帯端末は、請求項３に記載の発明において、前記別部材は、プラスチックからなる筐体であることを特徴とする。
【００１５】
これにより、前記筐体が複雑な形状でも形成しやすくなり、またプラスチックの持つ衝撃吸収特性により前記カバーガラスの保護機能も高まる。
【００１６】
請求項５に記載の携帯端末は、請求項３又は４に記載の発明において、前記別部材は、前記反射面に隣接する面に反射膜を形成してなることを特徴とする。
【００１７】
前記反射面に隣接する面に反射膜を形成することで、入射光の一部が前記反射面を透過した場合に反射して再び前記側面部へと入射させることができ、光の利用効率を高めることができる。
【００１８】
請求項６に記載の携帯端末は、請求項１〜５のいずれかに記載の発明において、前記カバーガラスの前記反射面に反射膜を形成してなることを特徴とする。
【００１９】
これにより全反射に頼らず、前記反射面に入射した光を極力反射することができ、光の利用効率を高めることができる。
【００２０】
請求項７に記載の携帯端末は、請求項１〜６のいずれかに記載の発明において、前記発光素子は、複数個設けられていることを特徴とする。
【００２１】
これにより発光量を増大することができ，視認性が高まる。
【００２２】
請求項８に記載の携帯端末は、請求項１〜７のいずれかに記載の発明において、以下の条件式を満たすことを特徴とする。
２０°≦θ１＜６０°      （１）
ただし、θ１は、前記側面部の延在方向に対して直交する断面において、前記反射面と、前記側面部における前記反射面に対向する内側の面とのなす角度
【００２３】
（１）式の値が下限以上であると、携帯端末を落下させた場合などに、受けた衝撃によってカバーガラスが損傷しにくくなる。又、（１）式の値が上限を下回ると、前記画像透過部に向かう光が減少し、前記側面部から外部に出射する光が多くなるので，意匠上好ましい。尚、より好ましくは、以下の式を満たすことである。
２０°≦θ１≦４５°      （１’）
【００２４】
請求項９に記載の携帯端末は、請求項１〜８のいずれかに記載の発明において、前記側面部の外側の面は、前記反射面に対して交差する方向に延在しており、以下の条件式を満たすことを特徴とする。
０°≦θ２≦１０°      （２）
ただし、θ２は、前記側面部の延在方向に対して直交する断面において、前記側面部における前記反射面に対向する内側の面と、前記外側の面とのなす角度
なお前記反射面、前記内側の面、前記外側の面のいずれかあるいはすべてが平面ではなく曲面の場合、それぞれの曲面の前記断面との交線である曲線において、該曲線上の各点の接線の方向を曲線上の線素の長さで加重平均した方向が互いになす角度によって、θ1、θ2を定めることとする。
【００２５】
（２）式の値が下限以上であると、前記カバーガラスを成形で形成する際に型の離形性が向上し、成形性が向上する。また、前記側面部から外部に出射する光を均一に近づけることが出来、照度分布のムラを抑えることができる。又、（２）式の値が上限以下であると、前記画像透過部に向かう光が減少し、前記側面部から外部に出射する光が多くなるので，意匠上好ましい。
【００２６】
請求項１０に記載の携帯端末は、請求項１〜９のいずれかに記載の発明において、前記側面部の外側の面の任意の点と前記発光素子とを結ぶ直線を引いたとき、前記直線は光を透過しない非透過性部材と交差することを特徴とする。
【００２７】
これによって、前記カバーガラスを通して前記発光素子を見えにくくするとともに、前記発光素子から射出された光が、前記側面部から直接外部へ出射することを抑制でき、前記発光素子のような高輝度の発光点が見えることによる意匠性の低下を防ぐことができる。
【００２８】
請求項１１に記載のカバーガラスは、画面表示部を蔽う画像透過部と、前記画像透過部と交わる方向に延在する側面部とが一体的に成形された携帯端末用のカバーガラスであって、
前記側面部の一部に形成された反射面を有し、前記カバーガラス内に配置された発光素子から出射された光線が、前記反射面で少なくとも一回反射された後、前記側面部内を導光しつつ外部に出射することを特徴とする。
【００２９】
本発明によれば、前記発光素子から出射された光線は、前記側面部の一部に形成された反射面で少なくとも一回反射された後、前記側面部内を導光しつつ外部に出射するので、前記発光素子を携帯端末の表面近くに配置した場合でも、比較的長い光路をたどって導光しながら外部へと出射させることができる。これにより、携帯端末の薄形を確保しつつも、輝度ムラを抑えつつ前記側面部を広範囲に発光させることができる。又、前記側面部から前記発光素子を視認しにくいので、発光時の視認性および意匠性の高い携帯端末を提供できる。
【００３０】
請求項１２に記載の携帯端末用のカバーガラスは、請求項１１に記載の発明において、前記反射面は、前記カバーガラスの側面部の縁部に形成された斜面であることを特徴とする。
【００３１】
前記反射面が、前記カバーガラスの側面部の縁部に形成された斜面であると成形で容易に形成できる。
【００３２】
請求項１３に記載のカバーガラスは、請求項１１又は１２に記載の発明において、前記反射面に反射膜を形成してなることを特徴とする。
【００３３】
これにより全反射に頼らず、前記反射面に入射した光を極力反射することができ、光の利用効率を高めることができる。
【００３４】
請求項１４に記載のカバーガラスは、請求項１１〜１３のいずれかに記載の発明において、以下の条件式を満たすことを特徴とする。
２０°≦θ１＜６０°      （３）
ただし、θ１は、前記側面部の延在方向に対して直交する断面において、前記反射面と、前記側面部における前記反射面に対向する内側の面とのなす角度
【００３５】
（１）式の値が下限以上であると、携帯端末を落下させた場合に、受けた衝撃によってカバーガラスが損傷しにくくなる。又、（１）式の値が上限を下回ると、前記画像透過部に向かう光が減少し、前記側面部から外部に出射する光が多くなるので，意匠上好ましい。尚、より好ましくは、以下の式を満たすことである。
２０°≦θ１≦４５°      （１’）
【００３６】
請求項１５に記載のカバーガラスは、請求項１１〜１４のいずれかに記載の発明において、前記側面部の外側の面は、前記反射面に対して交差する方向に延在しており、以下の条件式を満たすことを特徴とする。
０°≦θ２≦１０°      （４）
ただし、θ２は、前記側面部の延在方向に対して直交する断面において、前記側面部における前記反射面に対向する内側の面と、前記外側の面とのなす角度
【００３７】
（２）式の値が下限以上であると、前記カバーガラスを成形で形成する際に型の離形性が向上し、成形性が向上する。また、前記側面部から外部に出射する光を均一に近づけることが出来、照度分布のムラを抑えることができる。又、（２）式の値が上限以下であると、前記画像透過部に向かう光が減少し、前記側面部から外部に出射する光が多くなるので，意匠上好ましい。
【００３８】
請求項１６に記載のカバーガラスは、請求項１１〜１５のいずれかに記載の発明において、前記側面部の少なくとも一部に、光取出し構造が設けられていることを特徴とする。
【００３９】
前記光取り出し構造を設けることで、前記側面部内を導光してきた光を効率よく捕捉して外部へと出射でき，視認性が高まるとともに、均一な発光により意匠性が高まる。
【００４０】
請求項１７に記載のカバーガラスは、請求項１６に記載の発明において、前記光取出し構造は、印刷により形成されていることを特徴とする。
【００４１】
このような光取り出し構造であると、大量生産が可能である。
【００４２】
請求項１８に記載のカバーガラスは、請求項１６に記載の発明において、前記光取出し構造は、前記側面部に形成された微細構造であることを特徴とする。
【００４３】
このような光取り出し構造は、例えば前記カバーガラスの成形時に同時に形成できる。
【００４４】
請求項１９に記載のカバーガラスは、請求項１１〜１８のいずれかに記載の発明において、前記画面透過部の周縁部の少なくとも一部にハーフミラー構造が施されていることを特徴とする。
【００４５】
前記ハーフミラー構造を形成することで、前記発光素子等の内部構造が見えないように隠すことが出来、また前記発光素子を発光させた時、前記ハーフミラー構造からも光が取出されて、着信時等の視認性を高めることができる。
【発明の効果】
【００４６】
本発明によれば、例えば着信の報知等のために少なくとも側面部から発光し、かつその発光範囲が外部からは点状に見えず広範囲に均一な照度で見える、視認性および意匠性の高いスマートフォン、携帯電話等の携帯端末を提供することができる。とくに上記の目的において、発光領域内の輝度むらが小さく、意匠性の高い携帯通信装置を提供することができる。また本発明によれば、上記目的に示された携帯通信装置に用いられるカバーガラスであって、導光体の機能を有するカバーガラスを提供することができる。
【図面の簡単な説明】
【００４７】
【図１】本実施の形態にかかる携帯端末の分解斜視図である。
【図２】組み付けた状態で示す携帯端末１０の短手方向断面図である。
【図３】変形例にかかる携帯端末１０’の図２と同様な断面図である。
【図４】本実施の形態に好適な実施例１の図２と同様な断面図であって、シミュレーションに基づくＬＥＤからの光線経路を合わせて示している。
【図５】本実施の形態に好適な実施例２の図２と同様な断面図であって、シミュレーションに基づくＬＥＤからの光線経路を合わせて示している。
【図６】本実施の形態に好適な実施例３の図２と同様な断面図であって、シミュレーションに基づくＬＥＤからの光線経路を合わせて示している。
【図７】本実施の形態に好適な実施例４の図２と同様な断面図であって、シミュレーションに基づくＬＥＤからの光線経路を合わせて示している。
【図８】比較例の図２と同様な断面図であって、シミュレーションに基づくＬＥＤからの光線経路を合わせて示している。
【発明を実施するための形態】
【００４８】
以下、本発明に係る実施の形態を説明する。図１は、本実施の形態にかかる携帯端末の分解斜視図である。図１において、携帯端末１０は、カバーガラス１１と、筐体１２と、画像表示等の回路基板１３と、発光駆動回路基板１４と、発光素子であるＬＥＤ１５とを有する。組み付け時に互いに接着されるカバーガラス１１と筐体１２との間に、回路基板１３が挟持されている。発光駆動回路基板１４は、回路基板１３の短手方向両縁近傍において、回路基板１３に直交するように組み付けられている。ＬＥＤ１５は、発光駆動回路基板１４の外方を向いた面１４ａ上に等間隔に設置されている。発光駆動回路基板１４は、回路基板１３の一方の側にのみ設けられていても良い。
【００４９】
図１において、カバーガラス１１は、ガラス又はプラスチックから一体的に成形されており、長辺と短辺とを持つ矩形状部（画像透過部）１１ａと、矩形状部１１ａの長手方向側縁から略直角に延在する第１側板部（側面部）１１ｂ、１１ｂと、矩形状部１１ａの短手方向側縁から略直角に延在する第２側板部１１ｃ、１１ｃとを有する。矩形状部１１ａが、画像表示部としての回路基板１３上のディスプレイ（図１で回路基板１３の裏側に配置）を覆っており、図１で矩形状部１１ａ内の点線で示す範囲が、表示された画像を透過させる領域Ａになる。カバーガラスをガラスから形成する場合、ダイレクトプレス法を用いた成形が好ましい。
【００５０】
別部材となる筐体１２は、ガラス又はプラスチックから成形されており、矩形状部１１ａに対向する底板部１２ａと、底板部１２ａの長手方向側縁から直角に延在する側板部１２ｂとを有する。
【００５１】
図２は、組み付けた状態で示す携帯端末１０の短手方向断面図であるが、一部省略している。紙面垂直方向に延在するカバーガラス１１の第１側板部１１ｂは、矩形状部１１ａの表面１１ｈと直交する外面１１ｄと、内面１１ｅと、外面１１ｄより縁側に形成された斜面（反射面）１１ｆとを有している。内面１１ｅと斜面１１ｆとの交差部が尖っていると、組み付け時などの不用意な力により欠けやすいことから、その交差部には小平面（もしくは面取り）１１ｇが形成されている。斜面１１ｆは、発光駆動回路基板１４に取り付けられたＬＥＤ１５に対向する位置に配置されている。
【００５２】
斜面１１ｆには、反射膜がスパッタリングや蒸着等で形成されていると好ましい。外面１１ａには、概略図示した光取り出し構造１６が形成されている。光取り出し構造１６は、例えばシリカ、酸化チタン等の拡散剤を混入したインクを基材にドット状に塗布することで得られるが、スクリーン印刷、インクジェット印刷等の印刷により形成されていてもよい。また、外面１１ｄに粗し処理を施したり、或いは外面１１ｄ上に、矩形状部１１ａと交わる方向に延在するＶ字状溝構造などの微細構造を形成することで、光取り出し構造を設けてもよい。同様な光取出し構造を、内面１１ｅの少なくとも一部に設けても良い。
【００５３】
図２において、ｈは、カバーガラス１１の外面１１ｄの高さである。携帯端末の一例である最近のスマートフォンの厚みが７ｍｍから１０ｍｍ程度であるから、ｈも２ｍｍ以上７ｍｍ以下であることが望ましい。より望ましくは３ｍｍ以上６ｍｍ以下である。またカバーガラス１１の肉厚も最大で１ｍｍ程度であると好ましい。
【００５４】
このように、薄形の携帯端末ではｈが比較的小さくなるため、カバーガラス１１の第１側板部１１ｂの外面１１ｄから効率的かつムラなく光を取出すには、より多くの光が斜面１１ｆで反射されるように、斜面１１ｆの角度を決め、さらに外面１１ｄをムラなく照明できるように内面１１ｅの角度を決めることが望ましい。そのための条件を以下に示す。
【００５５】
斜面１１ｆと内面１１ｅとのなす角度をθ１とし、外面１１ｄと内面１１ｅとのなす角度をθ２としたときに、以下の式が成立すると好ましい。
２０°≦θ１＜６０°      （１）
０°≦θ２≦１０°      （２）
【００５６】
一方、筐体１２の側板部１２ｂは、底板部１２ａの裏面と交差する外面１２ｃと、外面１２ｃに平行に底板部１２ａから短く立ち上がる内面１２ｄと、内面１２ｄより縁側に形成された斜面１２ｅとを有する。斜面１２ｅは、斜面１１ｆと略同じ形状であって、隣接して配置されている。つまり、斜面１１ｆの外側に側板部１２ｂが存在し、斜面１１ｆを覆っているため、薄く尖ったカバーガラス１１の第１側板部１１ｂを、携帯端末１０を落下させた際の衝撃などから保護する機能を有する。カバーガラス１１の斜面１１ｆに反射膜を設けない場合、斜面１２ｅには、反射膜がスパッタリングや蒸着等で形成されていると好ましい。
【００５７】
本実施の形態では、光非透過部材からなる回路基板１３がＬＥＤ１５の上方に庇のように張り出して遮光部材としても機能し、ＬＥＤ１５から出射した光が、カバーガラス１１の矩形板状部１１ａや第１側板部１１ｂの外面１１ｄから直接出射しないように部分的に遮光している。すなわち、側面部１２ｂの外面１２ｃの任意の点とＬＥＤ１５とを結ぶ直線を引いたとき、該直線は回路基板１３と交差する。これにより、表面１１ｈや外面１１ｄからＬＥＤ１５の高輝度の発光点が視認されないようにして、意匠性を高めている。
【００５８】
携帯端末１０の動作について説明する。携帯端末１０に着信があると、不図示の回路を介して着信信号が発光駆動回路基板１４上の駆動回路に送信されるので、これによりＬＥＤ１５が発光する。図２の矢印で示すように、ＬＥＤ１５からの発光光は、カバーガラス１１の内面１１ｅから第１側板部１１ｂ内に入射し、殆どの光が斜面１１ｆで反射する。或いは、斜面１１ｆを透過してしまった光は、筐体１２の側板部１１ｂの斜面１２ｅで反射して、再び斜面１１ｆから第１側板部１１ｂ内に入射する。
【００５９】
斜面１１ｆ又は斜面１２ｅで反射した光は、第１側板部１１ｂ内を導光し、内面１１ｅで全反射した後、これに対向する外面１１ｄに入射する。外面１１ｄには光取り出し構造１６が形成されているので、拡散ドットに入射した光は種々の方向に拡散する。これにより、外方に向いた光が出射することで、外面１１ｄ全体が発光することになり、意匠性に優れる薄形の携帯端末１０を提供できる。
【００６０】
図３は、変形例にかかる携帯端末１０’の図２と同様な断面図である。図３において、カバーガラス１１の矩形状部１１ａの表面１１ｈと、第１側板部１１ｂの外面１１ｄとの間の角部を、曲面１１ｉで接続することで、欠けなどを抑制するようにしている。又、矩形状部１１ａの表面１１ｈにおいて、表示された画像を透過させる領域Ａの周辺に、一部の光を透過するが残りを反射するハーフミラー構造１１ｊを形成することで、ユーザーが、表示された画像を透過させる領域Ａの周辺を通して携帯端末１０’の内部構造を見えにくくできるとともに、ＬＥＤ１５による内部発光光を透過することができる。ハーフミラー構造１１ｊは、曲面１１ｉを覆うようにして外面１１ｄまで形成するようにしても良いし、上述の実施の形態に設けても良い。
【００６１】
更に、本変形例では、筐体１２の側板部１２ｂの先端を削り取るようにして細い平面１２ｇとし、これに対向して、カバーガラス１１の斜面１１ｆに交差する平面１１ｋを形成している。平面１２ｇと平面１１ｋとの間に接着剤を付与することで、カバーガラス１１と筐体１２とを接着できる。それ以外の構成は、上述した実施の形態と同様である。
【００６２】
（実施例１）
図４は、上述した実施の形態に好適な実施例１の図２と同様な断面図である。実施例１においては、筐体の側板部の内面側全てが斜面となっている。又、実施例１ではθ１＝２５°、θ２＝３°である。
【００６３】
（実施例２）
図５は、上述した実施の形態に好適な実施例２の図２と同様な断面図である。実施例２においても、筐体の側板部の内面側全てが斜面となっている。又、実施例２ではθ１＝２５°、θ２＝０°である。
【００６４】
（実施例３）
図６は、上述した実施の形態に好適な実施例３の図２と同様な断面図である。実施例３においては、図２と同様に、筐体の側板部が内面と，それに交差する斜面とを有している。又、実施例３ではθ１＝４５°、θ２＝０°である。
【００６５】
（実施例４）
図７は、上述した実施の形態に好適な実施例４の図２と同様な断面図である。実施例４においては、図２と同様に、筐体の側板部が内面と，それに交差する斜面とを有している。又、実施例４ではθ１＝４５°、θ２＝３°である。
【００６６】
（比較例）
図８は、比較例の図２と同様な断面図である。比較例においては、実施例１，２と同様に、筐体の側板部の内面側全てが斜面となっている。又、比較例ではθ１＝６５°、θ２＝３°である。
【００６７】
図４〜９を比較して明らかであるが、実施例１〜４の場合、ＬＥＤから出射した光は、斜面で反射した後、カバーガラス内を導光し、外面から均一に発光するようになっている。これに対し比較例では、斜面の傾きが浅いので、筐体近くの外面のみが発光するので、意匠性に劣っている。従って、θ１は２０°以上、６０°未満であると好ましいことが分かる。
【００６８】
又、実施例３，４では、斜面で反射した光の一部が、矩形状部の周辺からも出射する。例えば携帯端末の撮像機能を用いて、ユーザーが自身の顔を撮像し、撮像した顔をディスプレイ（図１の領域Ａ内）に表示した状態で、化粧などを行う場合があるが、実施例３，４の携帯端末であれば、内部のＬＥＤを発光させることで、カバーガラスの周辺からの発光でユーザーの顔を明るく照明でき、より好ましく化粧を行える。
【００６９】
本発明は、明細書に記載の実施例に限定されるものではなく、他の実施例・変形例を含むことは、本明細書に記載された実施例や思想から本分野の当業者にとって明らかである。例えば、カバーガラスの第１側板部に斜面を設けるとともに、あるいはその代わりに第２側板部に斜面を設けて、ＬＥＤからの光を反射するようにしても良い。ＬＥＤ発光のタイミングは、着信時に限られない。更に、矩形状部と側面部とは、外表面が連続した曲面からなる形状であっても良い。
【符号の説明】
【００７０】
１０            携帯端末
１１            カバーガラス
１１ａ            矩形状部
１１ａ            外面
１１ａ            矩形状部
１１ｂ            第１側板部
１１ｃ            第２側板部
１１ｄ            外面
１１ｅ            内面
１１ｆ            斜面
１１ｈ            表面
１１ｉ            曲面
１１ｊ            ハーフミラー構造
１１ｋ            平面
１２            筐体
１２ａ            底板部
１２ｂ            側板部
１２ｃ            外面
１２ｄ            内面
１２ｅ            斜面
１２ｇ            平面
１３            回路基板
１４            発光駆動回路基板
１４ａ            面
１５  ＬＥＤ
１６  光取り出し構造
【図１】
2014207544.tif 000003
【図２】
2014207544.tif 000004
【図３】
2014207544.tif 000005
【図４】
2014207544.tif 000006
【図５】
2014207544.tif 000007
【図６】
2014207544.tif 000008
【図７】
2014207544.tif 000009
【図８】
2014207544.tif 000010